(57)【要約】【課題】扇風機に簡易に装着することで拡散性の高い送風とすることによりディフューザーとして用いることができるディフューザーアタッチメントを提供する。【解決手段】ディフューザーアタッチメント１０は、複数の磁石１２を鉄ガード２１に近づけることにより磁力で吸着され、複数の磁石１２を用いて鉄ガード２１に装着された状態において、扇風機２０からの送風が、円錐筒部１１の第２の端部１１ｂから第１の端部１１ａに向かって通過し、この通過した送風が拡散性を有する拡散性送風ＫＳとなる。ディフューザーアタッチメント１０は、送風の範囲が狭く拡散性に乏しい扇風機２０に簡易に装着されることで、風が横方向に分散されあたりの優しく心地よい超微風を広範囲に送風することができるディフューザーとして用いることができる。【選択図】図１
0003209452.tif 000002
【実用新案登録請求の範囲】
【請求項１】
扇風機に取り付けて使用するディフューザーアタッチメントであって、
円錐筒状の円錐筒部と、前記円錐筒部の所定の部分に設けられ前記扇風機の前ガードに装着するように形成されている装着部を有し、
前記円錐筒部は、円形の第１の端部と、前記第１の端部より小径の円形の第２の端部を有し、
前記装着部を用いて前記前ガードに装着された状態で、前記扇風機からの送風は、前記円錐筒部の前記第２の端部から前記第１の端部に向かって通過し、前記通過した送風が拡散性を有するように形成されていることを特徴とするディフューザーアタッチメント。
【請求項２】
前記前ガードは、鉄を用いた鉄ガードであり、
前記所定の部分に設けられた装着部は、複数の磁石であり、前記複数の磁石を用いて前記鉄ガードに装着するように形成されていることを特徴とする請求項１に記載のディフューザーアタッチメント。
【請求項３】
前記鉄ガードの網目部分に嵌め込まれるように設けられた１または複数の突起を有することを特徴とする請求項２に記載のディフューザーアタッチメント。
【請求項４】
前記円錐筒部は、上方部分及び下方部分のそれぞれに横方向誘導部が設けられており、
前記横方向誘導部を有する前記円錐筒部の前記第２の端部から前記第１の端部に向かって通過した送風の横方向が高められるように形成されていることを特徴とする請求項１から請求項３のいずれかに記載のディフューザーアタッチメント。
【考案の詳細な説明】
【技術分野】
【０００１】
本考案は、ディフューザーアタッチメントに関する。
【背景技術】
【０００２】
扇風機はモーターの回転により羽根を回転させ送風するものであるが、この風を広い領域に送風するために首振りの機能を有するものが知られている（特許文献参照）。
【先行技術文献】
【特許文献】
【０００３】
【特許文献１】特開平０６−３４１３９５号公報
【考案の概要】
【考案が解決しようとする課題】
【０００４】
一般的な扇風機は弱風時でも風の当たりが強く、長時間風に当たり続けると疲労感を感じたり、体が冷えすぎるなどの問題がある。上記の問題に対し、ＤＣモーターを使用した扇風機は羽根を低速回転させてきわめて弱い風を実現させている。本考案は、一般的な扇風機においても扇風機正面に取り付けることで風を拡散させることできわめて弱い風を得ることができる。
【０００５】
本考案は、こうした点に鑑みてなされたものであり、扇風機に簡易に装着することで拡散性の高い送風とすることによりディフューザーとして用いることができるディフューザーアタッチメントを提供する。
【課題を解決するための手段】
【０００６】
上記課題を解決するために、本考案に係るディフューザーアタッチメントは、扇風機に取り付けて使用するディフューザーアタッチメントであって、円錐筒状の円錐筒部と、前記円錐筒部の所定の部分に設けられ前記扇風機の前ガードに装着するように形成されている装着部を有し、前記円錐筒部は、円形の第１の端部と、前記第１の端部より小径の円形の第２の端部を有し、前記装着部を用いて前記前ガードに装着された状態で、前記扇風機からの送風は、前記円錐筒部の内部を前記第２の端部から前記第１の端部に向かって通過し、前記通過した送風が拡散性を有するように形成されていることを特徴とする。
【０００７】
本考案に係るディフューザーアタッチメントの態様について、前記前ガードは、鉄を用いた鉄ガードであり、前記所定の部分に設けられた装着部は、複数の磁石であり、前記複数の磁石を用いて前記鉄ガードに装着するように形成されていることが好ましい。
【０００８】
本考案に係るディフューザーアタッチメントの態様について、前記鉄ガードの網目部分に嵌め込まれるように設けられた１または複数の突起を有することが好ましい。
【０００９】
本考案に係るディフューザーアタッチメントの態様について、前記円錐筒部は、上方部分及び下方部分のそれぞれに横方向誘導部が設けられており、前記横方向誘導部を有する前記円錐筒部の前記第２の端部から前記第１の端部に向かって通過した送風の横方向が高められるように形成されていることが好ましい。
【考案の効果】
【００１０】
本考案によれば、扇風機に簡易に装着することで拡散性の高い送風とすることによりディフューザーとして用いることができるディフューザーアタッチメントを提供することができる。
【図面の簡単な説明】
【００１１】
【図１】実施形態の扇風機に用いるディフューザーアタッチメントの一例を示す模式図である。
【図２】実施形態のディフューザーアタッチメントの他の一例を説明する参考図である。
【考案を実施するための形態】
【００１２】
以下、本考案の扇風機に用いるディフューザーアタッチメントの実施形態を、図１を用いて説明する。
【００１３】
図１（ａ）は実施形態のディフューザーアタッチメント１０を示す模式図であり、図１（ｂ）はディフューザーアタッチメント１０が扇風機２０に装着された状態を示す模式図である。
【００１４】
図１（ｂ）に示すようにディフューザーアタッチメント１０は、扇風機２０に取り付けて使用するものである。
【００１５】
ディフューザーアタッチメント１０は、円錐筒状の円錐筒部１１及び円錐筒部１１の所定の部分に設けられ扇風機２０の前ガードに装着するように形成されている装着部を有しており、また、円錐筒部１１は、円形の第１の端部１１ａと第１の端部より小径の円形の第２の端部１１ｂを有している
【００１６】
実施形態において扇風機２０の前ガードは、一例として鉄を用いた鉄ガード２１であり、またディフューザーアタッチメント１０の装着部は、一例として円錐筒部１１の所定の部分に設けられた複数の磁石１２である。
【００１７】
すなわち、実施形態において、ディフューザーアタッチメント１０は、複数の磁石１２を鉄ガード２１に近づけることにより磁力で吸着される。このように複数の磁石１２を用いることで、ディフューザーアタッチメント１０は、扇風機２０に対して簡単に着脱することができる。
【００１８】
なお、図１（ａ）に示すように実施形態において複数の磁石１２は、３つの磁石１２であるが、これは一例であり必要に応じ適宜数を設定してもよい。また、実施形態では、３つの磁石１２は、円錐筒部１１に均等な配置となるように設けられているが、これも一例であり必要に応じて適宜配置してもよい。
【００１９】
上記の構成を有するディフューザーアタッチメント１０は、磁石１２を用いて鉄ガード２１に装着された状態において、扇風機２０からの送風が、円錐筒部１１の第２の端部１１ｂから第１の端部１１ａに向かって通過し、この通過した送風が拡散性を有する拡散性送風ＫＳとなるように形成されている。
【００２０】
上記のとおり実施形態のディフューザーアタッチメント１０は、簡易に扇風機２０の鉄ガード２１に磁石１２を用いて装着することができる。このようにディフューザーアタッチメント１０は、送風が断片的な硬い風となり範囲が狭く長時間あたり続けると疲労感を感じるといった扇風機２０に簡易に装着されることで、円錐筒部１１を通過し拡散されあたりの優しい拡散性送風ＫＳとなる。
【００２１】
また、扇風機２０にディフューザーアタッチメント１０を使用することにより、風が横方向に分散され拡散されることで、例えば、扇風機２０は、首振りなしでもあたりの優しく心地よい超微風を広範囲に送風することができる。
【００２２】
図２は、実施形態のディフューザーアタッチメント１０の他の一例を説明する参考図である。図２（ａ）及び図２（ｂ）に示すように、ディフューザーアタッチメント１０は、鉄ガード２１の網目部分に嵌め込まれるように設けられた突起１３を有してもよい。実施形態では３つの突起１３がディフューザーアタッチメント１０に設けられているが、これは一例であり、１または複数の突起１３を適宜設けてもよい。このような突起１３を設けることにより、ディフューザーアタッチメント１０と扇風機２０との固定力がより高まるという効果がある。
【００２３】
また、図２（ａ）に示すように、円錐筒部１１は、上方部分及び下方部分に横方向誘導部１４が、それぞれに設けられている。横方向誘導部１４を有するディフューザーアタッチメント１０は、第２の端部１１ｂから第１の端部１１ａに向かって通過した扇風機２０からの送風が横方向に高められるように形成されている。なお、図２（ａ）に示す実施形態において横方向誘導部１４は、第１の端部１１ａと一体的になるように形成されているが、これは一例であり扇風機２０からの送風が横方向に高められるように形成されていればよい。
【００２４】
このようにディフューザーアタッチメント１０が横方向誘導部１４を有することにより、扇風機２０からの送風を横方向に広くきわめて弱い風として拡散することができ、長時間風に当たり続けた場合であっても疲労を感じることなく、体が冷えすぎることもないなどの顕著な効果がある。
【００２５】
以上、本考案の有する特徴及び優れた点を上記実施形態に記載したが、本考案は、本願の実用新案登録請求の範囲で使用されている言葉を広く一般的な意味に拡張して実施することができる。
【００２６】
また、本考案のディフューザーアタッチメントは、大きさや形状、素材の種類、厚さ、重さなどについては多様な実施形態が可能であり、それらについて本実施形態と異なる形態による実施は、本考案の技術的範囲に含まれる。
【符号の説明】
【００２７】
１０    ディフューザーアタッチメント
１１    円錐筒部
１１ａ  第１の端部
１１ｂ  第２の端部
１２    磁石
１３    突起
１４    横方向誘導部
２０    扇風機
２１    鉄ガード
ＫＳ    拡散性送風
【図１】
0003209452.tif 000003
【図２】
0003209452.tif 000004